(57)【要約】【課題】マスクの装着使用状態において、鼻梁の左右でマスク本体の上縁を目の下の頬面に密着させて、外気に含まれるアレルゲンがマスク内へ侵入するのを防止する。併せて、マスク本体を鼻屋および頬面に違和感なく密着保持できるようにして、長時間にわたって連続使用する場合の痛みや不快感を解消する。【解決手段】マスク本体１と、マスク本体１の左右両側に設けられる装着体２とを備えている。マスク本体１は、左右のブランクシート３の中央隣接縁どうしを接合することにより、接合個所が前面側へ嘴状に突出している。マスク本体１の内面上縁寄りには粘着部１３を設ける。粘着部１３を目の下の頬面に接着することによって、マスク本体１の上縁１ａを鼻屋および頬面に沿って密着できる。粘着部１３は、目の下の頬面と対向するマスク内面に限って局部的に設けてあるので、粘着部１３を肌に接着することに伴う違和感や不快感を解消できる。【選択図】        図１
2004313293.tif 000002
【特許請求の範囲】
【請求項１】
鼻および口を含む顔面の下半部外面を覆うマスク本体１と、マスク本体１の左右両側に設けられる装着体２とを備えており、
マスク本体１は、左右のブランクシート３の中央隣接縁どうしを接合することにより接合個所が前面側へ嘴状に突出しており、
顔面に装着した状態におけるマスク本体１の上縁１ａが、鼻梁の上部から左右の鼻屋を経て両頬へ向かって連続しており、
鼻屋、および鼻屋に隣接する頬面と対向するマスク本体１の内面に、マスク本体１の上縁１ａを鼻屋および頬面に密着させるための粘着部１３が設けられていることを特徴とする衛生マスク。
【請求項２】
マスク本体１の内面に、交換可能なインナーマスク１６が装着されており、
インナーマスク１６の内面上縁に、マスク本体１およびインナーマスク１６の上縁１ａ・１６ａを鼻屋および頬面に密着させるための粘着部１３が設けられている請求項１記載の衛生マスク。
【請求項３】
粘着部１３が、ホットメルト感圧接着剤を所定位置に塗布して形成されている請求項１または２記載の衛生マスク。
【請求項４】
粘着部１３が、鼻屋に隣接する目の下の頬面と対向するマスク本体１、またはインナーマスク１６の内面に形成されている請求項２または３記載の衛生マスク。
【請求項５】
インナーマスク１６の片面に、インナーマスク１６をマスク本体１に固定するための第２粘着部１７が形成されており、
インナーマスク１６の他面に、マスク本体１およびインナーマスク１６の上縁１ａ・１６ａを鼻屋および頬面に密着させるための粘着部１３が形成されている請求項２記載の衛生マスク。
【発明の詳細な説明】
【０００１】
【発明の属する技術分野】
本発明は、花粉に代表されるアレルゲンの侵入を防ぎ、あるいは唾液飛沫などが周囲環境へ排出されるのを防ぐために使用する衛生マスクに関する。
【０００２】
【従来の技術】
使用状態におけるマスクは、マスク本体の左右に設けた装着紐や、耳に掛け止められるゴム紐などによって後ろ側へ引張って顔面に密着させるが、マスク本体の周縁全体を顔面に密着できる訳ではない。多くの場合は、鼻梁の左右においてマスク本体の上縁が頬面から浮き離れ、左右の鼻屋と頬面とマスク本体とによって三角形状の隙間が生じている。このように鼻梁の左右に隙間があると、花粉などのアレルゲンを含む外気の一部が該当の隙間を介して吸入される。あるいは呼気の一部が前記隙間を介して上向きに排出されることにより、眼鏡のレンズを曇らせる等の不具合を生じる。
【０００３】
上記のような不具合を解消するために、マスク本体の上縁に補助カバーを設け、その外縁に沿って針金を止め付け、針金を鼻梁に沿って折り曲げることにより、補助カバーを左右の鼻屋と頬面とに密着保持できるようにしたマスクが提案されている（特許文献１参照）。マスク本体の内面周縁に沿って、高粘弾性の粘着剤を配置し、マスク本体の周縁全体を粘着剤を介して顔面に密着できるようにしたマスクもある（特許文献２参照）。そこで使用される粘着剤としては、アクリル酸化物やゼラチンなどの高含水性のジェルが挙げられている。
【０００４】
マスク本体とは別に設けた補助片で、鼻梁の左右の隙間を塞ぐようにしたマスクも提案されている（特許文献３参照）。補助片は全体にギャザーを形成してあるリング状の縫製品からなり、マスク本体に対して縫着してある。マスク本体の外面に鼻腔を拡張させる弾性片が設けられたマスクにおいて、マスク本体の内面に粘着剤を配置して、先の弾性片を左右の鼻屋と頬面とに密着させるようにしたマスクが提案されている（特許文献４参照）。このマスクにおける粘着剤としては、両面粘着テープを用いている。本発明のマスクはマスク本体を嘴状に構成するが、この種の立体構造のマスクの基本形態は公知である（特許文献５参照）。
【０００５】
【特許文献１】
特開平１０−５３６０号公報（段落番号０００８、図３）
【特許文献２】
特開平１１−１２８３７８号公報（段落番号００１０、図１）
【特許文献３】
特開平１０−１５０９１号公報（段落番号００２１、図４）
【特許文献４】
特開平１１−３３１３２号公報（段落番号００１８、図３）
【特許文献５】
特開平７−２７５３８４号公報（段落番号００１１、図１）
【０００６】
【発明が解決しようとする課題】
上記のように、マスク本体の上縁部分を顔面に密着させたり、あるいは隙間を塞ぐための手法はいくつか提案されているが、いずれにも一長一短がある。針金などの折り曲げ変形可能な保形材を用いる特許文献１のマスクにおいては、針金を鼻梁に沿って折り曲げることにより、補助カバーを左右の鼻屋と頬面とに密着保持できるが、使用途中に針金が伸び変形して隙間が形成されるおそれがある。
【０００７】
この点、粘着剤を用いてマスク本体の周縁を顔面に密着させる特許文献２のマスクにおいては、高含水性のジェルを粘着材にしてマスク本体を顔面に接着するので、使用途中に隙間が生じることはない。しかし、顔に施した化粧材が粘着材に付着してはがれてしまうおそれがあり、化粧を施した状態でのマスクの使用がためらわれる。高含水性のジェルを粘着材とするので、どろりとした触感が嫌われるうえ、装着当初には粘着材が冷たく違和感を与えやすい。
【０００８】
補助片を使用する特許文献３のマスクは、補助片で隙間を塞ぐことができる。しかし、補助片の存在分だけマスクの製作コストが高く付くのを避けられないうえ、補助片を配置した部分が膨らむので外観上の体裁も悪い。粘着材を用いてマスク本体の上縁内面を鼻梁に沿って密着させる特許文献４のマスクは、結果的に鼻梁両側の隙間を防いで、アレルゲンなどの異物が吸気に含まれるのを防止できる。しかし、自由状態へ復帰しようとする弾性片の弾性に抗して、マスク本体を両面粘着テープで頬面に止め付ける必要があるので、高強度の接着力を備えた両面粘着テープを使用しなければならず、両面粘着テープの接着皮膚面において強い違和感が生じるのを避けられず、マスクを長時間にわたって連続使用するような場合にストレスを受けやすい。高強度の接着力を備えていて、肌にかゆみやかぶれを生じない両面粘着テープの選定が難しい。
【０００９】
本発明の目的は、マスク本体を鼻屋および頬面に密着させて、外気に含まれるアレルゲンの侵入を確実に防止できるのはもちろんのこと、違和感なくマスク本体を鼻屋および頬面に密着保持でき、従ってマスクを長時間にわたって連続使用する場合にも、痛みや不快感を伴うことがなく肌にやさしい衛生マスクを提供することにある。本発明の他の目的は、より簡単な構造でマスク本体を鼻屋および頬面に密着保持でき、従来例に比べて安価に製造できる衛生マスクを提供することにある。
【００１０】
【課題を解決するための手段】
本発明の衛生マスクは、例えば図１に示すように、鼻および口を含む顔面の下半部外面を覆うマスク本体１と、マスク本体１の左右両側に設けられる装着体２とを備えている。マスク本体１は、左右のブランクシート３の中央隣接縁どうしを接合することにより接合個所が前面側へ嘴状に突出している。顔面に装着した状態におけるマスク本体１の上縁１ａは、鼻梁の上部から左右の鼻屋を経て両頬へ向かって連続している。鼻屋、および鼻屋に隣接する頬面と対向するマスク本体１の内面には、マスク本体１の上縁１ａを鼻屋および頬面に密着させるための粘着部１３が設けられていることを特徴とする。
【００１１】
マスク本体１の内面には、交換可能なインナーマスク１６を装着することができる。そのインナーマスク１６の内面上縁には、マスク本体１およびインナーマスク１６の上縁１ａ・１６ａを鼻屋および頬面に密着させるための粘着部１３を設けることができる。
【００１２】
前記粘着部１３は、ホットメルト感圧接着剤を所定位置に塗布して形成することができる。
【００１３】
前記粘着部１３は、鼻屋に隣接する目の下の頬面と対向するマスク本体１、またはインナーマスク１６の内面に形成することができる。
【００１４】
インナーマスク１６の片面には、インナーマスク１６をマスク本体１に固定するための第２粘着部１７が形成されており、インナーマスク１６の他面には、マスク本体１およびインナーマスク１６の上縁１ａ・１６ａを鼻屋および頬面に密着させるための粘着部１３が形成されている。
【００１５】
【発明の作用効果】
本発明においては、前面が嘴状に突出するマスク本体１の内面、具体的には、鼻屋、および鼻屋に隣接する頬面と対向するマスク本体１の内面に粘着部１３を設け、この粘着部１３を肌に押し付けて接着することにより、マスク本体１の上縁１ａを鼻屋および頬面に沿って密着できるので、鼻梁の左右に隙間が生じるのを解消して、外気に含まれるアレルゲンの侵入を確実に防止できる。マスク本体１の内部に局部的に形成した粘着部１３で、マスク本体１の上縁１ａを鼻屋や頬面に密着させるので、従来のマスクに比べてマスク本体１を肌に密着させるための接着構造を簡素化でき、その分だけマスクの全体の製作コストを削減できる。さらに、粘着剤１３による接着個所が顔面の一部に限られるので、マスク使用時に粘着剤１３が肌に接着することに伴う違和感を著しく軽減できる。従って、マスクを長時間にわたって連続使用する場合にも、痛みや不快感を伴うことがなく肌にやさしい衛生マスクを提供できる。
【００１６】
マスク本体１の内面に交換可能なインナーマスク１６が装着されるようにしてある衛生マスクにおいて、インナーマスク１６の内面上縁に粘着部１３を設けてあると、粘着部１３を肌に押し付けて接着することにより、マスク本体１の上縁１ａ、およびインナーマスク１６の上縁１６ａを鼻屋および頬面に沿って密着できるので、鼻梁の左右に隙間が生じるのを解消して、外気に含まれるアレルゲンの侵入を確実に防止できる。インナーマスク１６の内面上縁に粘着部１３を設けるだけで、鼻梁の左右に隙間が生じるのを解消できるので、インナーマスク１６付きの衛生マスクを安価に製造できる。粘着剤１３による接着個所が顔面の一部に限られるので、マスク使用時の粘着剤１３の違和感を著しく軽減でき、痛みや不快感を伴うこともなく、マスクを長時間にわたって連続使用できる。
【００１７】
ホットメルト感圧接着剤を所定位置に塗布することにより粘着部１３を形成すると、マスク本体１の製造過程で粘着部１３を簡単に形成できるし、マスク本体１を肌に密着させるための接着構造を最小限のコストで形成して、衛生マスクを安価に製造できる。粘着部１３を形成する過程で、過熱溶融したホットメルト感圧接着剤がマスク本体１の繊維間に染み込んで固化するので、粘着部１３をマスク本体１に対して確実に一体化でき、マスク本体１に対する粘着部１３の固定構造を省略できる分だけ衛生マスクの製造コストを削減化ができる。
【００１８】
鼻屋に隣接する目の下の頬面と対向するマスク本体１の内面、あるいはインナーマスク１６の内面に粘着部１３を形成しておくと、顔面から浮き離れようとするマスク本体１ないしインナーマスク１６の生地面を、粘着部１３で効果的に鼻屋と目の下の頬面に沿って密着させることができるので、粘着部１３を構成する粘着剤の使用量を最小限化して、粘着部１３をさらに低コストで形成できるうえ、粘着部１３の使用量が少ない分だけ、粘着部１３が肌に接着することに伴う違和感や不快感をさらに軽減できる。
【００１９】
インナーマスク１６の片面に第２粘着部１７を、他面に粘着部１３をそれぞれ形成した衛生マスクによれば、マスク本体１の内面にインナーマスク１６を第２粘着部１７を介して接着するだけで、両者１・１６を簡単に一体化でき、使用途中にインナーマスク１６がずれ動くのを防止して、常に適正な状態で衛生マスクを使用できる。
【００２０】
【実施例】
（実施例１）  図１ないし図４は本発明に係る衛生マスクの実施例１を示す。図２において衛生マスクは、マスク本体１と、マスク本体１の左右両側に設けられる装着体２とを有する。マスク本体１は、図４に示すごとく銀杏葉状に形成した左右一対のブランクシート３を接合して形成する。ブランクシート３は、熱可塑性の合成樹脂繊維からなる、通気性を備えた非伸縮性の不織布を銀杏葉状に裁断して形成してあり、垂直の側縁４と、側縁４に対向する上下に長い湾曲縁５と、これら両者４・５を繋ぐ上縁６および下縁７とを備えている。上縁６は側縁４に向かって下り傾斜する緩やかな湾曲線で形成し、下縁７は側縁４に向かって登り傾斜する緩やかな湾曲線で形成してある。
【００２１】
ブランクシート３は、熱可塑性の合成樹脂繊維、例えばオレフィン樹脂繊維、ポリエチレン樹脂繊維、ポリプロピレン樹脂繊維などの単繊維を素材とする不織布や、複合芯鞘繊維を素材とする不織布、あるいは積層複合不織布などで形成することができる。複合芯鞘繊維としては、ポリエステル−ポリエチレン芯鞘繊維、ポリプロピレン−ポリエチレン芯鞘繊維などを適用できる。積層複合不織布としては、綿とポリエチレンの積層不織布、レーヨンとポリエチレンの積層不織布、綿とポリプロピレンの積層不織布などを適用できる。
【００２２】
２枚のブランクシート３を重ねて、両者の湾曲縁５どうしを熱溶着して一体化する。一体化した２枚のブランクシート３を左右に拡げると、接合個所（熱溶着個所）が前面側へ嘴状に突出したマスク本体１が得られる。図２に示すようにマスク本体１の上縁１ａは山形に、下縁１ｂは傾斜が緩やかなＶ字状になっている。
【００２３】
装着体２は、伸縮性に富む不織布を舌片状に裁断して形成してあり、その一側に垂直の側縁１０を有し、舌片状のシート面にへ字状の切込１１を形成してある。装着体２の側縁１０をブランクシート３の側縁４の内面に重ねて、両者を熱溶着することにより、装着体２をマスク本体１と一体化する。図１に示すように、嘴状に広げたマスク本体１で、鼻および口を含む顔面の下半部外面を覆ったうえで、装着体２の切込１１を拡げて耳に掛け止めることにより、マスク本体１の装着状態を維持できる。
【００２４】
上記の装着状態においてマスク本体１の上縁１ａは、鼻梁の上部から左右の鼻屋を経て両頬へ向かって連続するが、鼻梁の左右においてマスク本体１の上縁１ａが目の下の頬面から浮き離れ、左右の鼻屋と頬面とマスク本体１とによって三角形状の隙間が形成されることがある。この隙間を解消するためにマスク本体１の内面左右に粘着部１３を設ける。詳しくは、鼻屋に隣接する左右の頬面と対向するマスク本体１の内面で、上縁１ａの近傍にホットメルト感圧接着剤を塗布して、左右一対の粘着部１３を形成する。この実施例では、粘着部１３をマスク本体１の上縁１ａと平行に、かつ上下２段の帯状に形成した。マスク本体１は、図４に示すように、左右のブランクシート３を折り畳んだ状態で販売するが、この折り畳み状態において左右のブランクシート３どうしが粘着部１３を介して接着するのを防ぐために、粘着部１３の外面は剥離紙１４で覆ってある。
【００２５】
粘着部１３を形成するホットメルト感圧接着剤は、熱可塑性ポリマーをベースにした、溶剤や水を含まない接着性混合物からなり、ブランクシート３どうしを溶着する前段工程において、自動機によってブランクシート３に塗布して粘着部１３を形成するので、粘着部１３を設けることに伴うコストを著しく削減できる。塗布された粘着部１３の一部は、ブランクシート３の繊維間に染み込むので、粘着部１３がブランクシート３から剥離することはない。
【００２６】
先に説明したように、マスク本体１を顔面に装着したのち、マスク本体１の外面側から粘着部１３を頬面に押し付けることにより、図３に示すようにマスク本体１の上縁１ａを鼻屋および頬面に密着させて、鼻梁の左右において隙間が生じるのを確実に防止できる。従って、外気に含まれるアレルゲンの侵入を確実に防止される。局部的に形成した粘着部１３でマスク本体１の上縁１ａを頬面に接着するので、従来例に比べてマスクの全体コストを削減化できるうえ、従来例に比べて、装着時の違和感を著しく軽減できる。従って、マスクを長時間にわたって連続使用する場合にも、痛みや不快感を伴うことがなく肌にやさしい衛生マスクが得られる。
【００２７】
（実施例２）  図５は本発明に係る衛生マスクの実施例２を示す。そこでは、マスク本体１の内面に交換可能なインナーマスク１６が装着されている。このインナーマスク１６は綿などの天然繊維、セルロース系繊維、および合成樹脂繊維を素材とする、通気性を備えた非伸縮性の不織布を花弁状に裁断して形成してあり、その外観形状は嘴状に拡げたマスク本体１の正対形状とほぼ同じに形成してある。
【００２８】
インナーマスク１６の片面左右には、インナーマスク１６をマスク本体１に固定するための第２粘着部１７が上下多段状に形成してある。さらに、インナーマスク１６の他面（頬面と接する側）上縁には、マスク本体１およびインナーマスク１６の上縁を鼻屋および頬面に密着させるための粘着部１３が形成されている。第２粘着部１７は、粘着部１３と同様にホットメルト感圧接着剤を塗布して形成する。後者の粘着部１３は、実施例１の粘着部１３と同様に、インナーマスク１６の上縁１６ａと平行に、かつ上下２段の帯状に形成した。
【００２９】
使用するときは、インナーマスク１６をマスク本体１の内面に沿って二つ折りにし、第２粘着部１７を介して接着固定したうえで、マスク本体１を顔面に装着し、マスク本体１の外面側から粘着部１３を頬面に押し付けることにより、マスク本体１およびインナーマスク１６の上縁１ａ・１６ａを鼻屋および頬面に密着させて、鼻梁の左右において隙間が生じるのを防止する。インナーマスク１６はマスク本体１の内面に沿って予め接着固定した状態で提供することができる。他は実施例１と同じであるので、同じ部材に同じ符号を付して、その説明を省略する。
【００３０】
マスク本体１は１枚のブランクシート３で嘴状に形成することができる。その場合には、図６に示すように、ブランクシート３の中央上部にＶ字状の切込２０を形成しておき、切込２０で区分される左右のシート部の切込縁どうしを溶着して、前面が嘴状に突出するマスク本体１を形成する。
【００３１】
図７および図８は、衛生マスクの別の実施例を示す。そこでは、実施例２と同様に、マスク本体１の内面にインナーマスク１６を第２粘着部１７を介して接着固定するが、鼻梁の左右にできる隙間をインナーマスク１６を利用して塞ぐ点が先の実施例と異なる。詳しくは、マスク本体１の上縁１ａ内面にインナーマスク１６を接着したうえで、その下半部を図７に示すように上向きに折返して接着縁に重ねる。この折返し片１６ｂによって鼻梁の左右にできる隙間を塞ぐのである。この場合のインナーマスク１６は、厚めで嵩高い不織布を使用することが好ましい。もちろん、折返し片１６ｂのみを厚めで嵩高い不織布で形成してもよい。インナーマスク１６の全体、あるいは折返し片１６ｂを半通気性の不織布で形成すると、呼気の漏洩を阻止して、呼気による眼鏡のくもりをさらに効果的に防止できる。半通気性の不織布としては、片面にプラスチックフィルムがラミネートしてある不織布や、プラスチックフィルムが上下の不織布の間に介装してある積層不織布を適用できる。折返し片１６ｂの上縁に粘着部１３を設けて、折返し片１６ｂを顔面に接着できるようにすると、鼻全体を折返し片１６ｂで覆って異物の侵入を効果的に阻止できる。この場合の粘着部１３は、先の実施例で説明した粘着部と同様に形成する。
【００３２】
この実施例における衛生マスクは、以下の態様で実施することができる。マスク本体１の内面に交換可能なインナーマスク１６が第２粘着部１７を介して装着固定してあり、インナーマスク１６の下部に連続して折返し片１６ｂが一体に設けられており、インナーマスク１６の内面に沿って上向きに折返した折返し片１６ｂで、鼻梁の左右にできる隙間を塞ぐことを特徴とする衛生マスク。インナーマスク１６の内面に沿って上向きに折り返した折返し片１６ｂの上縁に粘着部１３が設けてある衛生マスク。
【００３３】
上記以外に、装着体２はゴム紐や、後頭部で結ばれる紐で形成することができる。マスク本体１は１枚のブランクシートで嘴状に形成することができる。その場合には、ブランクシートの中央上部にＶ字状の切込を形成しておき、切込で区分される左右のブランクシートの切込縁どうしを溶着して、前面が嘴状に突出するマスク本体１を形成する。マスク本体１は不織布以外に、織布で形成してもよい。インナーマスク１６は、マスク本体１と同様に、前面が嘴状に突出する立体形状に形成することができる。
【００３４】
粘着部１３は、帯状に形成する必要はなく、円形、矩形、リング状など必要に応じて任意の形状に形成できる。粘着部１３の形成位置は、鼻梁を除く鼻屋および頬面と対向するマスク本体１の内面の任意位置に形成してあればよいが、鼻屋と頬面の隣接部分に近く、さらにマスク本体１の上縁１ａに近いほど、上縁１ａを効果的に肌に密着させることができる。必要があれば左右の粘着部１６を一続きのものとして連続形成してもよい。
【図面の簡単な説明】
【図１】マスクの使用状態を示す正面図
【図２】マスク本体を拡げた状態の背面図
【図３】粘着部の粘着位置を示す横断平面図
【図４】マスク本体を偏平に折り畳んだ状態の一部破断側面図
【図５】マスクの別の実施例を示す分解背面図
【図６】マスク本体の別の実施例を示す展開図である。
【図７】マスクの別の実施例を示す一部破断正面図である。
【図８】インナーマスクの折り畳み途中状態を示す正面図である。
【符号の説明】
１  マスク本体
１ａ  マスク本体の上縁
２  装着体
３  ブランクシート
１３  粘着部
１６  インナーマスク
１６ａ  インナーマスクの上縁
１７  第２粘着部
【図１】
2004313293.tif 000003
【図２】
2004313293.tif 000004
【図３】
2004313293.tif 000005
【図４】
2004313293.tif 000006
【図５】
2004313293.tif 000007
【図６】
2004313293.tif 000008
【図７】
2004313293.tif 000009
【図８】
2004313293.tif 000010